(57)【要約】【課題】所定の情報を符号化した画像の読み取り対象領域を利用者にわかりにくくする。【解決手段】スキャナ装置４０ｂは、プラテンガラス１０２上の原稿を走査して原稿上の可視画像を読み取るＣＣＤイメージセンサ１０８と、固定配置されてプラテンガラス１０２上の原稿の不可視画像を読み取る赤外受光部１１２を備える。プラテンガラス１０２と赤外受光部１１２との間には、赤外光を透過する黒色のカバー１０９が取り付けられており、プラテンガラス１０２側から赤外受光部１１２の取り付け位置が見えないようになっている。【選択図】図３
2009005303.tif 000002
【特許請求の範囲】
【請求項１】
原稿が置かれる原稿台と、
前記原稿台を介して前記原稿から反射する可視光を受光する可視受光部と、
前記原稿台を介して前記原稿から反射する赤外光を受光する赤外受光部と、
前記原稿台と前記赤外受光部との間に配置され、当該赤外受光部を覆うとともに前記赤外光を透過させる赤外透過部材と
を含む画像読み取り装置。
【請求項２】
前記赤外透過部材は、前記可視光に対する光透過性が前記赤外光に対する光透過性よりも低いことを特徴とする請求項１記載の画像読み取り装置。
【請求項３】
前記赤外透過部材が黒色であることを特徴とする請求項１記載の画像読み取り装置。
【請求項４】
前記原稿台を介して前記原稿に可視光を照射する可視光源と、
前記原稿台を介して前記原稿に赤外光を照射する赤外光源とをさらに含み、
前記赤外光源が前記赤外透過部材よりも前記赤外受光部側に配置されることを特徴とする請求項１記載の画像読み取り装置。
【請求項５】
原稿が置かれる原稿台と、
前記原稿台に置かれた前記原稿から文書画像を読み取る文書画像読み取り部と、
前記原稿台に置かれた前記原稿の一部領域から符号画像を読み取る符号画像読み取り部と、
前記原稿台と前記符号画像読み取り部との間に配設され、利用者に対し当該原稿台側から当該符号画像読み取り部を遮蔽する遮蔽部材と
を含む画像読み取り装置。
【請求項６】
前記文書画像読み取り部は、前記原稿から反射する可視領域の光の受光結果に基づいて前記文書画像の読み取りを行い、
前記符号画像読み取り部は、前記原稿から反射する赤外領域の光の受光結果に基づいて前記符号画像の読み取りを行い、
前記遮蔽部材は、前記赤外領域の光に対する光透過性が前記可視領域の光に対する光透過性よりも高いことを特徴とする請求項５記載の画像読み取り装置。
【請求項７】
前記符号画像読み取り部が読み取る前記一部領域を移動させて切り替える切り替え部をさらに含むことを特徴とする請求項５記載の画像読み取り装置。
【発明の詳細な説明】
【技術分野】
【０００１】
本発明は、原稿の画像を読み取る画像読み取り装置に関する。
【背景技術】
【０００２】
複写機やファクシミリ等の読み取り装置、コンピュータ入力用のスキャナ等として、原稿の画像情報を自動的に読み取る画像読み取り装置が用いられている。この種の画像読み取り装置では、光源を用いて原稿に光を照射し、原稿から反射する反射光をイメージセンサにて受光することで、原稿の画像を読み取っている。
【０００３】
また、最近では、セキュリティー意識の高まりや電子化の流れを受けて、紙幣や有価証券等の特殊原稿を一般の原稿と区別化するために、特殊原稿上に例えば赤外線を吸収あるいは反射する画形材（インク、トナー等）を用いて、目視ではわかりにくい不可視像を形成しておく技術が採用され始めている。また、上記特殊原稿以外でも、例えば機密情報等を可視像にて形成する原稿に、さらに上記画形材を用いてＩＤ等の情報を埋め込んだ不可視像を形成しておく技術も検討されている。
【０００４】
このため、画像読み取り装置においても、可視画像（文書画像）の読み取りに加えて所定の情報を符号化した赤外画像（符号画像）の読み取りが要請されている。このような要請に対し、原稿台に置かれた原稿からの反射光の光路中に赤外、赤、緑、および青のカラーフィルタを選択的に挿入できるように構成し、赤外画像の読み取り、赤画像の読み取り、緑画像の読み取り、そして青画像の読み取りを順次実行する技術が提案されている（例えば、特許文献１参照）。
【０００５】
【特許文献１】特開平６−２８４２８３号公報
【発明の開示】
【発明が解決しようとする課題】
【０００６】
ところで、画像読み取り装置にて符号画像の読み取りを行っていることを利用者が知っている場合、原稿上の符号画像の読み取り領域を例えば白紙等で隠すことにより、符号画像の読み取りを阻害することが考えられる。すると、その原稿に例えば複製を禁止する情報を含む符号画像が形成されているような場合であっても、実際には複製が行われ得ることになってしまう。
本発明は、原稿台から見た場合に赤外画像あるいは符号画像の読み取りを行っている部位の存在を利用者にわかりにくくすることにある。
【課題を解決するための手段】
【０００７】
請求項１記載の発明は、原稿が置かれる原稿台と、前記原稿台を介して前記原稿から反射する可視光を受光する可視受光部と、前記原稿台を介して前記原稿から反射する赤外光を受光する赤外受光部と、前記原稿台と前記赤外受光部との間に配置され、当該赤外受光部を覆うとともに前記赤外光を透過させる赤外透過部材とを含む画像読み取り装置である。
請求項２記載の発明は、前記赤外透過部材は、前記可視光に対する光透過性が前記赤外光に対する光透過性よりも低いことを特徴とする請求項１記載の画像読み取り装置である。
請求項３記載の発明は、前記赤外透過部材が黒色であることを特徴とする請求項１記載の画像読み取り装置である。
請求項４記載の発明は、前記原稿台を介して前記原稿に可視光を照射する可視光源と、前記原稿台を介して前記原稿に赤外光を照射する赤外光源とをさらに含み、前記赤外光源が前記赤外透過部材よりも前記赤外受光部側に配置されることを特徴とする請求項１記載の画像読み取り装置である。
【０００８】
請求項５記載の発明は、原稿が置かれる原稿台と、前記原稿台に置かれた前記原稿から文書画像を読み取る文書画像読み取り部と、前記原稿台に置かれた前記原稿の一部領域から符号画像を読み取る符号画像読み取り部と、前記原稿台と前記符号画像読み取り部との間に配設され、利用者に対し当該原稿台側から当該符号画像読み取り部を遮蔽する遮蔽部材とを含む画像読み取り装置である。
請求項６記載の発明は、前記文書画像読み取り部は、前記原稿から反射する可視領域の光の受光結果に基づいて前記文書画像の読み取りを行い、前記符号画像読み取り部は、前記原稿から反射する赤外領域の光の受光結果に基づいて前記符号画像の読み取りを行い、前記遮蔽部材は、前記赤外領域の光に対する光透過性が前記可視領域の光に対する光透過性よりも高いことを特徴とする請求項５記載の画像読み取り装置である。
請求項７記載の発明は、前記符号画像読み取り部が読み取る前記一部領域を移動させて切り替える切り替え部をさらに含むことを特徴とする請求項５記載の画像読み取り装置である。
【発明の効果】
【０００９】
請求項１記載の発明によれば、原稿台から見た場合に赤外画像の読み取りを行っている部位すなわち赤外受光部の存在を利用者にわかりにくくすることができる。
請求項２記載の発明によれば、赤外受光部の存在を目視で確認しにくくすることができる。
請求項３記載の発明によれば、原稿台側から見た場合に赤外受光部を隠すことができる。
請求項４記載の発明によれば、原稿台側から赤外光源を確認しにくくすることができる。
請求項５記載の発明によれば、原稿台から見た場合に符号画像の読み取りを行っている部位すなわち符号画像読み取り部の存在を利用者にわかりにくくすることができる。
請求項６記載の発明によれば、符号画像読み取り部の存在を目視で確認しにくくすることができる。
請求項７記載の発明によれば、原稿上の符号画像の読み取り対象領域を広い範囲から選択することが可能になる。
【発明を実施するための最良の形態】
【００１０】
以下、添付図面を参照して、本発明の実施の形態について詳細に説明する。
図１は本実施の形態が適用されるシステムの構成の一例を示したものである。このシステムは、端末装置１０、識別情報管理サーバ２０、文書管理サーバ３０、画像形成装置４０、およびネットワーク７０を有する。これらのうち、端末装置１０は電子文書の印刷を指示する。判断装置として機能する識別情報管理サーバ２０は、電子文書を印刷する際に用紙（媒体）に付与する識別情報を管理し、電子文書の画像にこの識別情報等を含むコード画像を重畳した画像を生成する。文書管理サーバ３０は電子文書を管理する。画像形成装置４０は印刷装置としてのプリンタ装置４０ａおよび読み取り装置としてのスキャナ装置４０ｂを備えており、プリンタ装置４０ａにて電子文書の画像にコード画像を重畳した画像を印刷し、また、スキャナ装置４０ｂにて媒体上の画像を読み取る。ネットワーク７０は、これら端末装置１０、識別情報管理サーバ２０、文書管理サーバ３０、画像形成装置４０（プリンタ装置４０ａおよびスキャナ装置４０ｂ）を通信回線にて接続する。
【００１１】
また、識別情報管理サーバ２０には、識別情報を記憶する識別情報リポジトリ２５が接続され、文書管理サーバ３０には、電子文書を記憶する文書リポジトリ３５が接続されている。
さらに、このシステムは、端末装置１０からの指示により画像形成装置４０のプリンタ装置４０ａにて出力される印刷物５０と、この印刷物５０を画像形成装置４０のスキャナ装置４０ｂにスキャン入力し、プリンタ装置４０ａにて出力することで得られる複写物６０とを含んでいる。
【００１２】
以下、本システムの動作の概略を説明する。
まず、端末装置１０は、識別情報管理サーバ２０に対し、文書リポジトリ３５にて管理されている電子文書の画像にコード画像を重畳して印刷するように指示する（１）。このとき、端末装置１０からは、用紙サイズ、向き、縮小/拡大、両面印刷等の印刷属性も入力される。
これにより、識別情報管理サーバ２０は、印刷の指示を受けた電子文書を文書管理サーバ３０（文書リポジトリ３５）から取得する（２）。そして、識別情報管理サーバ２０は、取得した電子文書の画像に対し、識別情報リポジトリ２５にて管理されている識別情報と、印刷属性に応じて決定された位置情報とを含むコード画像を付与し、画像形成装置４０にその印刷を指示する（３）。
【００１３】
ここで、識別情報としては、個々の媒体を一意に識別する情報が採用される。例えば、画像形成装置４０の識別番号と画像形成装置４０における媒体の印刷の一連番号または印刷の日時とを組み合わせて得られる情報であってもよいし、所定のサーバにて重複がないように一元管理されている情報であってもよい。或いは、個々の媒体を一意に識別する情報ではなく、媒体に印刷された電子文書を一意に識別する情報を、識別情報として採用してもよい。
また、位置情報とは、個々の媒体上の座標位置（Ｘ座標、Ｙ座標）を特定するための情報である。例えば、媒体の左上点を原点とし、媒体の右方向にＸ軸をとり、下方向にＹ軸をとることにより設定した座標系で、座標を表すことが考えられる。
【００１４】
その後、画像形成装置４０のプリンタ装置４０ａは、識別情報管理サーバ２０からの指示に従い、印刷物５０を出力する（４）。画像形成装置４０のプリンタ装置４０ａでは、識別情報管理サーバ２０で付与された本実施の形態における符号画像の一例としてのコード画像および電子文書に対応する文書画像を媒体上に形成する。
【００１５】
ここで、プリンタ装置４０ａは、コード画像を、赤外光の吸収率が一定の基準以上である不可視のトナーを用いて不可視画像として形成する。なお、本実施の形態におけるコード画像は、少なくとも識別情報を含むものであればよく、位置情報については含まれていなくてもよい。また、プリンタ装置４０ａは、電子文書に基づく文書画像を、赤外光の吸収率が一定の基準以下である可視のトナーを用いて可視画像として形成する。なお、コード画像の形成に用いるトナーと文書画像の形成に用いるトナーとで、赤外光の吸収率に差を設けたのは、スキャナ装置４０ｂ等により赤外光を照射してコード画像を読み取る際の読み取り精度を確保するためである。
【００１６】
一方、このようにして出力された印刷物５０の複写物６０を得るため、印刷物５０が画像形成装置４０のスキャナ装置４０ｂにスキャン入力されたとする（５）。このとき、スキャナ装置４０ｂは、原稿としての印刷物５０に形成されたコード画像（不可視画像）および文書画像（可視画像）を読み取る。そして、スキャナ装置４０ｂは読み取った不可視画像に基づいてコード画像の解析を行い、得られた識別情報を識別情報管理サーバ２０に出力する（６）。
識別情報管理サーバ２０は、入力されてくる識別情報が付与された電子文書に対して複写が許可されているか否かすなわち複製権を有しているか否かを判断する。そして、識別情報管理サーバ２０は、この電子文書に対する複写が許可されていると判断した場合に、識別情報リポジトリ２５にて管理されている識別情報と印刷属性に応じて決定された位置情報とを含むコード画像を生成し、画像形成装置４０にその印刷を指示する（７）。
その後、画像形成装置４０のプリンタ装置４０ａは、識別情報管理サーバ２０からの指示に従い、受け取ったコード画像およびスキャナ装置４０ｂにて読み取った可視画像（文書画像）を重ね合わせて、印刷物５０と同じ内容の可視画像を有する複写物６０を出力（コピー出力）する（８）。
なお、識別情報管理サーバ２０は、この電子文書に対して複写が許可されていないと判断した場合に、印刷の指示を行わない。このため、画像形成装置４０のプリンタ装置４０ａにおいて複写物６０の出力は行われない。
【００１７】
ただし、このような構成はあくまでも一例であり、例えば識別情報管理サーバ２０の機能と文書管理サーバ３０の機能とを１台のサーバに持たせてもよいし、識別情報管理サーバ２０の機能を画像形成装置４０の画像処理部にて実現してもよい。つまり、画像形成装置４０のプリンタ装置４０ａあるいはスキャナ装置４０ｂ内で、複製権の有無を判断するようにしても差し支えない。また、本実施の形態において、「電子文書」には、例えばテキストデータのみで構成されるものは勿論のこと、テキストデータに加え写真等の画像データを含んで構成されるもの、あるいは画像データのみで構成されるものも含まれる。
【００１８】
また、ここでは、スキャナ装置４０ｂにて読み取った不可視画像を用いてコード画像の解析を行い、得られた識別情報に基づいてこの識別情報を有する印刷物５０に対する複写権の有無を判断する例について説明を行ったが、これは一例に過ぎない。例えば、得られた識別情報に基づいて印刷物５０の元となる電子文書あるいは他の電子文書を文書管理サーバ３０から取り出すようにしてもよい。また、識別情報として、例えば印刷物５０の元のサイズや印刷情報等の特性を埋め込んでおくようにしてもよい。
【００１９】
図２（ａ）〜（ｃ）は、識別情報管理サーバ２０によって生成され、画像形成装置４０のプリンタ装置４０ａによって印刷される二次元コード画像を説明するための図である。図２（ａ）は、不可視画像によって形成され、配置される二次元コード画像の単位を模式的に示すために格子状に表現した図である。また、図２（ｂ）は二次元コード画像の一単位を示した図である。さらに、図２（ｃ）は、バックスラッシュ「＼」とスラッシュ「／」の斜線パターンを説明するための図である。
【００２０】
これら図２（ａ）〜（ｃ）に示す二次元コード画像は、赤外線照射による機械読み取りと復号化処理とが長期にわたって安定して動作し、且つ、情報を高密度に記録する不可視画像で形成される。また、画像を出力する媒体表面の可視画像に与えるノイズが少ない不可視画像であることが好ましい。本実施の形態では、印刷される媒体の大きさに合わせて媒体一面（紙面）の全面に不可視画像が形成される。ただし、「全面」とは、用紙の四隅をすべて含む意味ではない。プリンタ装置４０ａのような電子写真方式の装置では、通常、紙面の端部は印刷できない部位である場合が多いことから、かかる部位に不可視画像の印刷がない場合であっても「全面」に形成されているとする。
【００２１】
図２（ｂ）に示す二次元コードパターンは、媒体上の座標位置を示す位置コードが格納される領域と、電子文書または印刷媒体を一意に特定するための識別コードが格納される領域とを含んでいる。また、同期コードが格納される領域も含んでいる。そして、図２（ａ）に示すように、この二次元コードパターンが複数、配置され、印刷される媒体の大きさに合わせて媒体一面（紙面）の全面に異なる位置情報が格納された二次元コードが格子状に配置される。すなわち、媒体一面に、図２（ｂ）に示すような二次元コードパターンが複数個、配置され、その各々が、位置コード、識別コード、および同期コードを備えている。そして、複数の位置コードの領域には、それぞれ配置される場所により異なる位置情報が格納されている。一方、複数の識別コードの領域には、配置される場所によらず同じ識別情報が格納されている。
【００２２】
図２（ｂ）において、位置コードは、６ビット×６ビットの矩形領域内に配置されている。各ビット値は、回転角度が異なる複数の微小ラインビットマップで形成され、図２（ｃ）に示す斜線パターン（パターン０およびパターン１）で、ビット値０とビット値１とを表現している。より具体的には、相互に異なる傾きを有するバックスラッシュ「＼」およびスラッシュ「／」を用いて、ビット値０とビット値１とを表現している。斜線パターンは６００ｄｐｉ（dot per inch）において８画素×８画素の大きさで構成されており、左上がりの斜線パターン（パターン０）がビット値０を、右上がりの斜線パターン（パターン１）がビット値１を表現する。したがって、一つの斜線パターンで１ビット（０または１）を表現する。このような二種類の傾きからなる微小ラインビットマップを用いることで、可視画像に与えるノイズがきわめて小さく、且つ、大量の情報を高密度にデジタル化され埋め込まれる二次元コードパターンを提供している。
【００２３】
すなわち、図２（ｂ）に示した位置コード領域には合計３６ビットの位置情報が格納されている。本実施の形態においてはこの３６ビットのうち、１８ビットをＸ座標の符号化に、他の１８ビットをＹ座標の符号化に使用している。各１８ビットをすべて位置の符号化に使用すると、２18通り（約２６万通り）の位置を符号化することになる。本実施の形態では各斜線パターンは図２（ｃ）に示したように８画素×８画素（６００ｄｐｉ）で構成されている。６００ｄｐｉの１ドットは０.０４２３ｍｍであることから、図２（ｂ）に示す二次元コード（同期コードを含む）の大きさは、縦横ともに３ｍｍ程度（８画素×９ビット×０.０４２３ｍｍ）となる。３ｍｍ間隔で２６万通りの位置を符号化した場合、約７８６ｍの長さを符号化することになる。このように１８ビットすべてを位置の符号化に使用してもよいし、あるいは、斜線パターンの検出誤りが発生するような場合には誤り検出や誤り訂正のための冗長ビットを含めてもよい。
【００２４】
また、識別コードは、２ビット×８ビットおよび６ビット×２ビットの矩形領域に配置されており、合計２８ビットの識別情報が格納されている。識別情報として２８ビットすべてを使用した場合、２28通り（約２億７千万通り）の識別情報を表現することになる。識別コードも位置コードと同様に、２８ビットの中に誤り検出や誤り訂正のための冗長ビットを含めてもよい。
【００２５】
なお、図２（ｃ）に示す例では、二つの斜線パターンは互いに角度が９０°異なるが、例えば角度差を４５°とすれば四種類の斜線パターンの構成となる。このように構成した場合は、一つの斜線パターンで２ビットの情報（０〜３）を表現する。すなわち、斜線パターンの角度種類を増やすことで、表現するビット数が増加する。
また、図２（ｃ）に示す例では、斜線パターンを使用してビット値の符号化を説明しているが、使用するパターンは斜線パターンに限られず、ＱＲコードのようなドットパターン等、情報を埋め込めるパターンであればどのようなパターンでもかまわない。
【００２６】
＜実施の形態１＞
図３は、実施の形態１における読み取り装置の一例としてのスキャナ装置４０ｂの概略構成を示す図である。ここで、図３（ａ）はスキャナ装置４０ｂの側部断面図を示しており、図３（ｂ）はスキャナ装置４０ｂの上面図を示している。
このスキャナ装置４０ｂは、固定された原稿（例えば印刷物５０）の画像を読み取る読み取り部１００と、読み取り部１００に原稿を固定するのに用いられるプラテンカバー１２０とを備える。
【００２７】
読み取り部１００は、筐体を形成する装置フレーム１０１、および画像を読み込むべき原稿が静止した状態で置かれる原稿台の一例としてのプラテンガラス１０２を備える。また、読み取り部１００は、プラテンガラス１０２のほぼ全体にわたってスキャンして画像を読み込むフルレートキャリッジ１０３、フルレートキャリッジ１０３の半分の速度で移動し、フルレートキャリッジ１０３から得られた光を結像部へ供給するハーフレートキャリッジ１０４を備えている。フルレートキャリッジ１０３には、原稿に白色光を照射する可視光源の一例としての照明ランプ１０５、照明ランプ１０５からの照射光をプラテンガラス１０２側に向けて反射するリフレクタ１０５Ａ、および原稿から得られた反射光を受光する第１ミラー１０６Ａが設けられている。また、ハーフレートキャリッジ１０４には、第１ミラー１０６Ａから得られた光を結像部へ提供する第２ミラー１０６Ｂおよび第３ミラー１０６Ｃが設けられている。さらに、読み取り部１００は、結像用レンズ１０７およびＣＣＤイメージセンサ１０８を備えている。これらのうち、結像用レンズ１０７は、第３ミラー１０６Ｃから得られた光学像を光学的に縮小する。また、可視受光部の一例としてのＣＣＤイメージセンサ１０８は、結像用レンズ１０７によって結像された光学像を光電変換する。このＣＣＤイメージセンサ１０８は、赤（Ｒ）、緑（Ｇ）、青（Ｂ）の可視画像すなわちフルカラー画像が読み取れるように、本実施の形態では三本の一次元ラインセンサすなわち一次元撮像素子にて構成される。そして、本実施の形態では、プラテンガラス１０２上に置かれた原稿の画像を、フルレートキャリッジ１０３およびハーフレートキャリッジ１０４にて走査することにより、読み取りが行われる。このとき、原稿の端部を除くほぼ全面の可視画像を読み取る。ここで、本実施の形態では、原稿の端部を除くほぼ全面のことを「全領域」という。そして、本実施の形態では、第１ミラー１０６Ａ、第２ミラー１０６Ｂ、第３ミラー１０６Ｃ、結像用レンズ１０７、ＣＣＤイメージセンサ１０８によって文書画像読み取り部を構成しているものを例示した。
なお、本実施の形態におけるスキャナ装置４０ｂでは、プラテンガラス１０２の一角をレジ基準位置１０２ａとする所謂コーナーレジ方式を採用している。したがって、原稿の読み取りを行う場合、原稿の一角がレジ基準位置１０２ａに合致するように、プラテンガラス１０２上に原稿が置かれることになる。
【００２８】
また、読み取り部１００は、プラテンガラス１０２に置かれた原稿の赤外画像を読み取るために用いられる赤外画像読み取り部１１０をさらに備える。符号画像読み取り部の一例としての赤外画像読み取り部１１０は、原稿に赤外光を照射する赤外光源の一例としての４つの赤外ＬＥＤ１１１ａ〜１１１ｄ、原稿から得られた反射光（赤外光）を受光する赤外受光部１１２を備えている。なお、以下の説明では、各赤外ＬＥＤを、第１赤外ＬＥＤ１１１ａ、第２赤外ＬＥＤ１１１ｂ、第３赤外ＬＥＤ１１１ｃ、第４赤外ＬＥＤ１１１ｄと呼ぶ。ここで、赤外受光部１１２は、プラテンガラス１０２の中央部下側に取り付けられている。また、第１赤外ＬＥＤ１１１ａ、第２赤外ＬＥＤ１１１ｂ、第３赤外ＬＥＤ１１１ｃ、第４赤外ＬＥＤ１１１ｄは、赤外受光部１１２の周囲に取り付けられる。これら第１赤外ＬＥＤ１１１ａ、第２赤外ＬＥＤ１１１ｂ、第３赤外ＬＥＤ１１１ｃ、第４赤外ＬＥＤ１１１ｄ、および赤外受光部１１２は、装置フレーム１０１の内側底面に取り付けられる。そして、第１赤外ＬＥＤ１１１ａ、第２赤外ＬＥＤ１１１ｂ、第３赤外ＬＥＤ１１１ｃ、第４赤外ＬＥＤ１１１ｄ、および赤外受光部１１２は、フルレートキャリッジ１０３やハーフレートキャリッジ１０４の移動軌跡と重ならないように、その高さが設定されている。また、第１赤外ＬＥＤ１１１ａ、第２赤外ＬＥＤ１１１ｂ、第３赤外ＬＥＤ１１１ｃ、第４赤外ＬＥＤ１１１ｄは、原稿としての印刷物５０に形成される不可視画像の赤外吸収波長に対応する波長で発光する。なお、これら第１赤外ＬＥＤ１１１ａ、第２赤外ＬＥＤ１１１ｂ、第３赤外ＬＥＤ１１１ｃ、第４赤外ＬＥＤ１１１ｄ、および赤外受光部１１２は、読み取り部１００の上部側すなわちプラテンガラス１０２側に向いた状態で配置されている。
【００２９】
そして、本実施の形態では、装置フレーム１０１の内側にカバー１０９が取り付けられている。赤外透過部材あるいは遮蔽部材の一例としてのカバー１０９は、プラテンガラス１０２の下部側、より具体的には、フルレートキャリッジ１０３やハーフレートキャリッジ１０４よりも下部であって、第１赤外ＬＥＤ１１１ａ、第２赤外ＬＥＤ１１１ｂ、第３赤外ＬＥＤ１１１ｃ、第４赤外ＬＥＤ１１１ｄ、および赤外受光部１１２よりも上部に配置されている。このカバー１０９は、装置フレーム１０１の底部のほぼ全面を覆うように設けられており、その端部は装置フレーム１０１に固定されている。また、カバー１０９はＺ字状に折り曲げられており、その一部には第３ミラー１０６ｃから結像用レンズ１０７に向かう可視反射光を通過させるための開口が形成されている。
【００３０】
さらに、読み取り部１００は、制御・画像処理ユニット１３０をさらに備える。制御・画像処理ユニット１３０は、ＣＣＤイメージセンサ１０８や赤外受光部１１２に設けられた本実施の形態における二次元撮像部の一例としての赤外エリアセンサ１１４（後述する図５参照）から入力される画像データに所定の処理を施す。また、制御・画像処理ユニット１３０は、読み取り部１００の各部の動作を制御する。
【００３１】
他方、読み取り部１００に対して開閉自在に配設されるプラテンカバー１２０は、図中奥側を軸とし、図中手前側を上下動させることで開閉が行われる。また、プラテンガラス１０２上に原稿が置かれた状態でプラテンカバー１２０が閉じられた場合、プラテンカバー１２０は、プラテンガラス１０２に対して原稿を押しつけて密着させる。そして、読み取り部１００とプラテンカバー１２０との間には、読み取り部１００に対するプラテンカバー１２０の開閉動作を検知する開閉センサ１２１が取り付けられている。なお、図３（ｂ）においては、プラテンカバー１２０および開閉センサ１２１の記載を省略している。
【００３２】
図４は、上述したカバー１０９の光透過特性を示す図である。なお、図４において、横軸は波長λ（ｎｍ）、縦軸は光透過率Ｔ（％）である。本実施の形態において、カバー１０９は、例えばメタクリル酸樹脂やエポキシ系樹脂などの透明樹脂基材に、可視領域において光吸収特性を有する吸収剤を含有させたもので構成されている。それゆえ、カバー１０９は、３５０〜７００ｎｍといった可視領域の波長の光を吸収し、８００ｎｍ〜１２００ｎｍの近赤外領域の波長の光を透過する特性を有している。
【００３３】
本実施の形態では、図３にも示したように、利用者がプラテンガラス１０２側から装置フレーム１０１の内部を見た場合、赤外画像読み取り部１１０を構成する第１赤外ＬＥＤ１１１ａ、第２赤外ＬＥＤ１１１ｂ、第３赤外ＬＥＤ１１１ｃ、第４赤外ＬＥＤ１１１ｄ、および赤外受光部１１２が、カバー１０９よりも奥側に存在する。カバー１０９は上述したように可視領域の波長の光を吸収する特性を有している。このため、利用者がプラテンガラス１０２越しに読み取り部１００を目視した場合、カバー１０９が黒く見える。その結果、カバー１０９の奥側に存在する第１赤外ＬＥＤ１１１ａ、第２赤外ＬＥＤ１１１ｂ、第３赤外ＬＥＤ１１１ｃ、第４赤外ＬＥＤ１１１ｄ、および赤外受光部１１２は、カバー１０９によって見えなくなり、遮蔽すなわち隠されることになる。
【００３４】
図５は、実施の形態１における赤外受光部１１２の詳細な構成を示す図である。この赤外受光部１１２は、筐体１１３、赤外エリアセンサ１１４、四つの結像用レンズを備えたレンズ部１１５、およびシャッタ部１１６を備える。
筐体１１３は直方体状の形状を有しており、その内側底部には赤外エリアセンサ１１４が固定されている。また、筐体１１３における赤外エリアセンサ１１４の上部には、レンズ部１１５が固定されている。さらに、筐体１１３におけるレンズ部１１５の上部には、切り替え部の一例としてのシャッタ部１１６が回転可能な状態で取り付けられている。
赤外エリアセンサ１１４は、二次元のＣＭＯＳ（Complementary Metal Oxide Semiconductor）イメージセンサすなわち二次元撮像素子で構成されている。したがって、ＣＣＤイメージセンサ１０８で用いられているラインセンサとは異なり、一度の読み取りで主走査方向および副走査方向に対する所定の二次元領域の赤外画像を読み取る。本実施の形態では、読み取り画素数が４００万画素のＣＭＯＳイメージセンサを用いている。また、ＣＭＯＳイメージセンサの読み取り解像度は、原稿すなわち印刷物５０に形成されるコード画像の形成解像度（本実施の形態では斜めパターンの幅）に応じて適宜設定される。本実施の形態ではコード画像の形成解像度が６００ｄｐｉ（dot per inch）２画素分、すなわち３００ｄｐｉで形成されているので、ＣＭＯＳイメージセンサの読み取り解像度はこれよりも高い４００ｄｐｉ以上で読み取りを行った。よって本実施の形態における赤外エリアセンサ１１４は、以下の式より１６１２９ｍｍ２、すなわち、はがきサイズ（約１００ｍｍ×約１５０ｍｍ＝１５０００ｍｍ２）程度の領域を読み取っている。
４００００００／（４００×４００）×（２５．４×２５．４）＝１６１２９ｍｍ２
なお、赤外エリアセンサ１１４はＣＭＯＳイメージセンサに限定されるものではない。例えばＣＣＤエリアイメージセンサなど代替可能なものを用いてもよい。
レンズ部１１５は、赤外光を透過且つ集光する機能を備えた４つのレンズ１１５ａ〜１１５ｄを備えている。なお、以下の説明では、各レンズを第１レンズ１１５ａ、第２レンズ１１５ｂ、第３レンズ１１５ｃ、および第４レンズ１１５ｄとよぶ。
シャッタ部１１６は円盤状の形状を有し、レンズ部１１５を構成する第１レンズ１１５ａ〜第４レンズ１１５ｄのいずれか一つを露出させるための開口部１１６ａを備えており、図示しないモータによって図中矢印方向に回転する。
【００３５】
このように、本実施の形態にかかる赤外受光部１１２では、シャッタ部１１６を回転させ、所定の位置で停止させることにより、第１レンズ１１５ａ、第２レンズ１１５ｂ、第３レンズ１１５ｃ、および第４レンズ１１５ｄのいずれかが露出する。これにより、赤外エリアセンサ１１４は、露出するレンズを透過した赤外光を受光する。このとき、どのレンズが露出しているかによって、赤外エリアセンサ１１４が受光する反射光のもととなる領域（以下の説明では赤外撮像領域と呼ぶ）が異なる。なお、本実施の形態では、プラテンガラス１０２と赤外画像読み取り部１１０（図３参照）との間にカバー１０９が設けられているが、上述したようにカバー１０９は近赤外光を透過する特性を有していることから、赤外画像読み取りにおいて光学的な妨げとはならない。
【００３６】
図６は、赤外エリアセンサ１１４によって読み取られる赤外撮像領域を説明するための図である。なお、図６においては、シャッタ部１１６の記載を省略している。
例えば第１レンズ１１５ａは、プラテンガラス１０２のレジ基準位置１０２ａ側の第１領域Ｓ１のうち、レジ基準位置１０２ａすなわち角側に近い第１読み取り領域Ｒ１で反射した赤外光を赤外エリアセンサ１１４に結像させる。ここで、第１赤外ＬＥＤ１１１ａは、第１領域Ｓ１のほぼ中央部に配置されている。このため、赤外エリアセンサ１１４は、主として第１赤外ＬＥＤ１１１ａから照射され、第１読み取り領域Ｒ１で反射した赤外光を受光する。また、例えば第２レンズ１１５ｂは、第１領域Ｓ１の図中下側に隣接する第２領域Ｓ２のうち、角側に近い第２読み取り領域Ｒ２で反射した赤外光を赤外エリアセンサ１１４に結像させる。ここで、第２赤外ＬＥＤ１１１ｂは、第２領域Ｓ２のほぼ中央部に配置されている。このため、赤外エリアセンサ１１４は、主として第２赤外ＬＥＤ１１１ｂから照射され第２読み取り領域Ｒ２で反射した赤外光を受光する。さらに、例えば第３レンズ１１５ｃは、第１領域Ｓ１の図中右側に隣接する第３領域Ｓ３のうち、角側に近い第３読み取り領域Ｒ３で反射した赤外光を赤外エリアセンサ１１４に結像させる。ここで、第３赤外ＬＥＤ１１１ｃは、第３領域Ｓ３のほぼ中央部に配置されている。このため、赤外エリアセンサ１１４は、主として第３赤外ＬＥＤ１１１ｃから照射され、第３読み取り領域Ｒ３で反射した赤外光を受光する。さらにまた、例えば第４レンズ１１５ｄは、第２領域Ｓ２の図中右側に隣接し且つ第３領域Ｓ３の図中下側に隣接する第４領域Ｓ４のうち、角側に近い第４読み取り領域Ｒ４で反射した赤外光を赤外エリアセンサ１１４に結像させる。ここで、第４赤外ＬＥＤ１１１ｄは、第４領域Ｓ４のほぼ中央部に配置されている。このため、赤外エリアセンサ１１４は、主として第４赤外ＬＥＤ１１１ｄから照射され第４読み取り領域Ｒ４で反射した赤外光を受光する。
【００３７】
図７（ａ）は、第１領域Ｓ１を赤外撮像領域とした場合における赤外光の受光を説明するための図である。このとき、シャッタ部１１６の開口部１１６ａは、第１レンズ１１５ａの上で停止している。この場合、プラテンガラス１０２側から反射してきた赤外光のうち、第１領域Ｓ１中の第１読み取り領域Ｒ１からの反射光のみがシャッタ部１１６の開口部１１６ａを通過する。そして、開口部１１６ａを通過した第１読み取り領域Ｒ１からの赤外反射光は、第１レンズ１１５ａによって赤外エリアセンサ１１４に結像される。
一方、図７（ｂ）は、第２領域Ｓ２を赤外撮像領域とした場合における赤外光の受光を説明するための図である。このとき、シャッタ部１１６の開口部１１６ａは、第２レンズ１１５ｂの上で停止している。この場合、プラテンガラス１０２側から反射してきた赤外光のうち、第２領域Ｓ２中の第２読み取り領域Ｒ２からの反射光のみがシャッタ部１１６の開口部１１６ａを通過する。そして、開口部１１６ａを通過した第２読み取り領域Ｒ２からの赤外反射光は、第２レンズ１１５ｂによって赤外エリアセンサ１１４に結像される。
【００３８】
図８は、制御・画像処理ユニット１３０の機能ブロック図を示している。この制御・画像処理ユニット１３０は、ＣＣＤイメージセンサ１０８から入力される可視画像データおよび赤外エリアセンサ１１４から入力される赤外画像データに処理を施す信号処理部１３１と、読み取り部１００の動作を制御する制御部１３２とを備えている。
【００３９】
信号処理部１３１は、ＣＣＤイメージセンサ１０８によって得られた可視画像データに対して画像処理を施す可視画像処理部１５０と、赤外エリアセンサ１１４によって得られた赤外画像データに対して画像処理を施す赤外画像処理部１６０とを備える。可視画像処理部１５０の出力は例えばプリンタ装置４０ａ（図１参照）等へ送られ、赤外画像処理部１６０の出力は例えば識別情報管理サーバ２０（図１参照）等へ送られる。
【００４０】
一方、制御部１３２は、読み取りコントローラ１４１、センサコントローラ１４２、照明コントローラ１４３、およびスキャンコントローラ１４４を備える。これらのうち、読み取りコントローラ１４１は、読み取り部１００の全体を制御する。センサコントローラ１４２はＣＣＤイメージセンサ１０８および赤外エリアセンサ１１４による画像データの取り込み動作を制御する。照明コントローラ１４３は、所定のタイミングに合わせて白色光源からなる照明ランプ１０５や赤外ＬＥＤ１１１ａ〜１１１ｄの点灯・消灯を制御する。スキャンコントローラ１４４は、読み取り部１００におけるモータのオン/オフなどを行い、フルレートキャリッジ１０３およびハーフレートキャリッジ１０４によるスキャン動作や、赤外受光部１１２に設けられたシャッタ部１１６の回転・停止動作を制御する。これらの各種コントローラからは、読み取り部１００に対して制御信号が出力され、かかる制御信号に基づいて、これらの動作制御が実行される。読み取りコントローラ１４１は、ホストシステムからの制御信号や、プラテンカバー１２０の開閉動作に際して開閉センサ１２１で検出されるセンサ出力、ＵＩ（User Interface）を介した利用者からの選択等に基づいて読み取り部１００を制御している。
【００４１】
図９（ａ）は可視画像処理部１５０の機能ブロック図を示している。可視画像処理部１５０は、アナログ処理部１５１、Ａ/Ｄ変換部１５２、可視シェーディング補正部１５３、および画像処理部１５４を備える。
アナログ処理部１５１は、ＣＣＤイメージセンサ１０８による可視画像データに対してゲイン・オフセット調整等のアナログ補正を施す。
Ａ/Ｄ変換部１５２は、アナログ補正が施された可視画像データをデジタルデータに変換する。
可視シェーディング補正部１５３は、入力されてくる可視画像データに可視シェーディング補正を施す。可視シェーディング補正では、入力されてくる可視画像データに対し、対応する３本のラインセンサそれぞれにおける各素子の感度のばらつきや照明ランプ１０５の光量分布特性に応じた補正を施す。
画像処理部１５４は、入力されてくるシェーディング補正済みの可視画像データに対して各種画像処理を施し、文書画像データとして出力する。この画像処理部１５４で施される処理としては、例えばγ/グレイバランス補正、色空間変換、拡大縮小、フィルタリング処理、コントラスト調整、さらには地肌除去等が挙げられる。
【００４２】
一方、図９（ｂ）は赤外画像処理部１６０の機能ブロック図を示している。赤外画像処理部１６０は、アナログ処理部１６１、Ａ/Ｄ変換部１６２、赤外シェーディング補正部１６３、２値化処理部１６４、および識別情報解析部１６５を備える。
アナログ処理部１６１は、赤外エリアセンサ１１４による赤外画像データに対してゲイン・オフセット調整等のアナログ補正を施す。
Ａ/Ｄ変換部１６２は、アナログ補正が施された赤外画像データをデジタルデータに変換する。
赤外シェーディング補正部１６３は、入力されてくる赤外画像データに赤外シェーディング補正を施す。赤外シェーディング補正では、入力されてくる赤外画像データに対し、赤外エリアセンサ１１４における各素子の感度のばらつきや各赤外ＬＥＤ１１１ａ〜１１１ｄの光量分布特性に応じた補正を施す。
２値化処理部１６４は、シェーディング補正がなされた赤外画像データを２値化（０または１）して出力する。
取得部として機能する識別情報解析部１６５は、２値化された赤外画像データに含まれるコード画像から必要に応じて読み取りによる歪みの補正などの処理を行った後に識別情報を解析し、得られた識別情報を出力する。なお、２値化や歪みの補正などの処理の順序は、識別情報解析の精度が良い順に適宜選択すればよい。
【００４３】
では、図１０に示すフローチャートを参照しつつ、本実施の形態のスキャナ装置４０ｂを用いた原稿の読み取り動作について説明する。
利用者によりプラテンカバー１２０が開けられ、プラテンガラス１０２に原稿が置かれた後、プラテンカバー１２０が閉じられる。このとき、開閉センサ１２１は、プラテンカバー１２０が開状態から閉状態に移行したことを検知する（ステップ１０１）。この検知を受けて、読み取りコントローラ１４１は、センサコントローラ１４２、照明コントローラ１４３、スキャンコントローラ１４４に制御信号を送り、プラテンガラス１０２上に置かれた原稿のサイズ検知を実行させる（ステップ１０２）。そして、読み取りコントローラ１４１は、原稿サイズの検知結果に基づいて赤外撮像領域を決定する（ステップ１０３）。次いで、読み取りコントローラ１４１は、スキャンコントローラ１４４に制御信号を送り、赤外受光部１１２に設けられたシャッタ部１１６を回転させ、決定された赤外撮像領域に対応するレンズ上で開口部１１６ａを停止させる。
【００４４】
次に、読み取りコントローラ１４１は、照明コントローラ１４３に制御信号を送り、赤外ＬＥＤ１１１ａ〜１１１ｄをすべて点灯させる（ステップ１０４）。また、読み取りコントローラ１４１は、センサコントローラ１４２に制御信号を送り、赤外エリアセンサ１１４による赤外画像読み取りを実行させる（ステップ１０５）。そして、赤外画像読み取りが完了すると、読み取りコントローラ１４１は、照明コントローラ１４３に制御信号を送り、赤外ＬＥＤ１１１ａ〜１１１ｄをすべて消灯させる（ステップ１０６）。
【００４５】
続いて、ＵＩ等からスキャン動作あるいは複写動作の開始指示を受け付けると（ステップ１０７）、読み取りコントローラ１４１は、照明コントローラ１４３に制御信号を送り、照明ランプ１０５を点灯させる（ステップ１０８）とともに、スキャンコントローラ１４４に制御信号を送り、フルレートキャリッジ１０３およびハーフレートキャリッジ１０４によるスキャン動作を開始させる。さらに、読み取りコントローラ１４１は、センサコントローラ１４２に制御信号を送り、ＣＣＤイメージセンサ１０８による可視画像読み取りを実行させる（ステップ１０９）。そして、原稿サイズに応じた可視画像読み取りが終了すると、読み取りコントローラ１４１は、照明コントローラ１４３に制御信号を送り、照明ランプ１０５を消灯させるとともに、スキャンコントローラ１４４に制御信号を送り、フルレートキャリッジ１０３およびハーフレートキャリッジ１０４を元の位置（図３に実線で示す位置）まで移動させ（ステップ１１０）、一連の処理を完了する。
【００４６】
なお、ステップ１０５において、赤外エリアセンサ１１４によって読み取られた赤外画像データは、赤外画像処理部１６０に入力される。そして、読み取り対象となる原稿が例えば印刷物５０（図１参照）のようにコード画像を含む場合には、赤外画像処理部１６０で赤外画像データに各種処理を施すことで識別情報が取得される。取得された識別情報は、上述したように識別情報管理サーバ２０（図１参照）に送られる。
また、ステップ１０９において、ＣＣＤイメージセンサ１０８によって読み取られた可視画像データは、可視画像処理部１５０に入力される。そして、可視画像処理部１５０で各種処理が施された後、文書画像データとしてプリンタ装置４０ａ等に出力される。
【００４７】
では、上記ステップ１０３における赤外撮像領域の決定について、具体的に説明する。
本実施の形態では、読み取りコントローラ１４１が、図６に示す第１領域Ｓ１、第２領域Ｓ２、第３領域Ｓ３、および第４領域Ｓ４の中から、基本的にはランダムに赤外撮像領域を決定する。ただし、読み取り対象となる原稿のサイズによって、原稿が存在しない領域が発生する。よって本実施の形態では、原稿サイズの検知結果に基づいて原稿が存在する領域の中から赤外撮像領域の決定を行っている。
【００４８】
図１１は、読み取りコントローラ１４１に設けられた図示しないメモリに記憶されている赤外撮像領域選択テーブルを示している。この赤外撮像領域選択テーブルは、原稿サイズと第１領域Ｓ１〜第４領域Ｓ４のうち原稿が存在する原稿存在領域とを対応づけたものである。
原稿サイズがＡ３ＳＥＦ（Short Edge Feed）であった場合、原稿は第１領域Ｓ１〜第４領域Ｓ４のすべてに存在することになるため、原稿存在領域は第１領域Ｓ１、第２領域Ｓ２、第３領域Ｓ３、および第４領域Ｓ４となる。また、原稿サイズがＡ４ＳＥＦであった場合は、原稿は第１領域Ｓ１〜第３領域Ｓ３には存在するものの、第４領域Ｓ４には存在しないことになるため、原稿存在領域は第１領域Ｓ１、第２領域Ｓ２、および第３領域Ｓ３となる。さらに、原稿サイズがＡ４ＬＥＦ（Long Edge Feed）であった場合、原稿は第１領域Ｓ１および第２領域Ｓ２には存在するものの、第３領域Ｓ３および第４領域Ｓ４には存在しないことになるため、原稿存在領域は第１領域Ｓ１および第２領域Ｓ２となる。さらにまた、原稿サイズがはがきであった場合、原稿は第１領域Ｓ１にのみ存在し、第２領域Ｓ２〜第４領域Ｓ４には存在しないことになるため、原稿存在領域は第１領域Ｓ１となる。
【００４９】
例えば原稿サイズがＡ３ＳＥＦの場合、読み取りコントローラ１４１は、赤外撮像領域選択テーブルからＡ３ＳＥＦに対する原稿存在領域として第１領域Ｓ１、第２領域Ｓ２、第３領域Ｓ３、および第４領域Ｓ４を取得する。そして、読み取りコントローラ１４１は、四つの領域の中からランダムに一つの領域を選択する。例えば第３領域Ｓ３を選択した場合、読み取りコントローラ１４１は、スキャンコントローラ１４４に制御信号を送り、赤外受光部１１２に設けられたシャッタ部１１６を回転させ、開口部１１６ａが第３レンズ１１５ｃ上となる位置でシャッタ部１１６を停止させることになる。
【００５０】
ここで、本実施の形態では、読み取り部１００にカバー１０９を設けているため、仮にこの状態で利用者がプラテンカバー１２０を開け、プラテンガラス１０２越しに読み取り部１００の内部を覗き込んだとしても、赤外画像読み取り部１１０が存在することおよび赤外画像読み取り部１１０によって原稿の赤外画像読み取りを行っていること自体がわかりにくい。また、仮に赤外画像読み取りを行っていることがわかっていたとしても、カバー１０９が存在することにより、赤外受光部１１２を構成するシャッタ部１１６の開口部１１６ａがどの位置で停止しているか、すなわち、どの領域が赤外撮像領域として選択されたかを目視で確認することが困難になる。
このため、例えば選択された赤外撮像領域にマスキングが施されることによってコード画像が読めなくなる、という事態が生じにくくなる。
【００５１】
また、読み取り部１００にカバー１０９を設けたことにより、例えば何らかの理由により読み取り部１００の上部側から埃等が進入してきた場合に、進入した埃はカバー１０９上に溜まり、赤外画像読み取り部１１０を構成する第１赤外ＬＥＤ１１１ａ、第２赤外ＬＥＤ１１１ｂ、第３赤外ＬＥＤ１１１ｃ、第４赤外ＬＥＤ１１１ｄ、および赤外受光部１１２には直接付着しない。従って、埃を除去する際にはカバー１０９上の清掃を行えばよいことから、メンテナンス性がよい。
【００５２】
なお、本実施の形態では、選択された赤外撮像領域すなわち第１領域Ｓ１、第２領域Ｓ２、第３領域Ｓ３、および第４領域Ｓ４それぞれの領域のうち、はがきサイズ程度の領域を読み取る例を用いて説明を行ったが、これに限られず例えば選択された赤外撮像領域の全域を読み取るようにしてもかまわない。
【００５３】
＜実施の形態２＞
図１２は、実施の形態２における赤外受光部１１２の詳細な構成を示す図である。この赤外受光部１１２は、筐体１７１、支持体１７２、赤外エリアセンサ１７３、およびレンズ１７４を備える。なお、スキャナ装置４０ｂを構成する他の要素は実施の形態１と同じであるので、その詳細な説明を省略する。
筐体１７１は円筒状の形状を有しており、その内側底部には赤外エリアセンサ１７３が固定されている。また、筐体１７１における赤外エリアセンサ１７３の上部には、円柱状のレンズ１７４が固定されている。そして、レンズ１７４の上部側には開口が形成されている。
支持体１７２は、筐体１７１の下側に取り付けられており、筐体１７１を支持している。この支持体１７２は、一端が筐体１７１に取り付けられ、赤外エリアセンサ１７３のセンサ面に対して垂直な方向に伸びる第１アーム１７２ａと、第１アーム１７２ａの他端側から第１アーム１７２ａに対して所定の角度方向に伸びる第２アーム１７２ｂとを備えている。
赤外エリアセンサ１７３は、実施の形態１と同様、二次元のＣＭＯＳイメージセンサで構成される。
レンズ１７４は、赤外光を透過且つ集光する機能を備えている。
なお、本実施の形態では、これら筐体１７１および支持体１７２によって保持体が構成されている。
また、支持体１７２の第２アーム１７２ｂには、軸受１７５が装着されている。この軸受１７５は、読み取り部１００の装置フレーム１０１（図３参照）に固定されている。また、軸受１７５は、第２アーム１７２ｂを介して支持体１７２および支持体１７２に取り付けられた筐体１７１が円運動を行うように支持している。
さらに、支持体１７２の第２アーム１７２ｂの他端部には、駆動部の一例としてのモータ１７６が取り付けられている。このモータ１７６が駆動を行うことにより、支持体１７２および筐体１７１が周方向に回転する。
したがって、本実施の形態では、これら支持体１７２やモータ１７６等によって切り替え部が構成されている。
【００５４】
図１３は、図３に示すスキャナ装置４０ｂに図１２に示す赤外受光部１１２を取り付けた場合における赤外受光部１１２の挙動を説明するための図である。
本実施の形態では、図１２を用いて説明したように、スキャナ装置４０ｂに対して赤外受光部１１２を構成する筐体１７１が傾斜した状態で取り付けられている。そして、赤外受光部１１２の支持体１７２はモータ１７６に接続されており、図に示すように傾斜した状態を保ちながら回転する。
実施の形態１では使用するレンズを切り替えることで赤外撮像領域を変更していたのに対し、本実施の形態では、赤外受光部１１２そのものを回転させることで、赤外撮像領域の変更を行う。
【００５５】
そして、本実施の形態においても、実施の形態１と同様、図１０に示す手順に基づいて原稿の読み取り動作が実行される。ただし、本実施の形態では、ステップ１０３において読み取りコントローラ１４１が赤外撮像領域を決定した後、スキャンコントローラ１４４に制御信号を送ることで、赤外受光部１１２を回転させ、決定された赤外撮像領域と対向するように、赤外受光部１１２を移動させて停止させる。このとき、赤外受光部１１２の停止位置は、決定された赤外撮像領域と対向する範囲内から適宜選択される。したがって、赤外撮像領域として例えば第１領域Ｓ１が選択された場合であっても、赤外受光部１１２に設けられた赤外エリアセンサ１７３による実際の撮像範囲は、毎回変更されることになる。
【００５６】
ここで、本実施の形態においても、実施の形態１と同様に読み取り部１００にカバー１０９を設けていることから、赤外受光部１１２を含む赤外画像読み取り部１１０の存在や、赤外受光部１１２の筐体１７１がどこを向いて停止しているかを、目視によって確認することが困難になる。
また、カバー１０９を設けることにより、進入してきた埃がカバー１０９が遮られ、赤外受光部１１２を構成するレンズ１７４等に直接付着するという事態が生じにくい。
【００５７】
なお、本実施の形態では、赤外受光部１１２を傾けた状態で回転させることで赤外撮像領域の変更を行っていたが、これに限られるものではない。例えば装置フレーム１０１の底面に赤外受光部１１２を主走査方向および副走査方向に移動するように取り付け、原稿サイズの検知結果に基づいて決定された赤外撮像領域との対向位置に赤外受光部１１２を動かすようにしてもよい。この場合においても、カバー１０９が存在することにより、赤外受光部１１２の停止位置を目視で確認することは困難となる。
【００５８】
＜実施の形態３＞
図１４は、実施の形態３におけるスキャナ装置４０ｂの概略構成を示す図である。ここで、図１４（ａ）はスキャナ装置４０ｂの側部断面図を示しており、図１４（ｂ）はスキャナ装置４０ｂの上面図を示している。このスキャナ装置４０ｂの基本構成は実施の形態１で説明したものとほぼ同じであるが、赤外受光部１１２が４ヶ所に設けられている。なお、本実施の形態において、実施の形態１と同様のものについては、同じ符号を付してその詳細な説明を省略する。
【００５９】
本実施の形態において、赤外受光部１１２は、第１赤外受光部１１２ａ、第２赤外受光部１１２ｂ、第３赤外受光部１１２ｃ、および第４赤外受光部１１２ｄを備える。ここで、第１赤外受光部１１２ａは、第１赤外ＬＥＤ１１１ａに隣接して設けられる。これにより、第１赤外受光部１１２ａは、図６に示す第１領域Ｓ１からの赤外反射光を受光する。また、第２赤外受光部１１２ｂは、第２赤外ＬＥＤ１１１ｂに隣接して設けられる。これにより、第２赤外受光部１１２ｂは、図６に示す第２領域Ｓ２からの赤外反射光を受光する。さらに、第３赤外受光部１１２ｃは、第３赤外ＬＥＤ１１１ｃに隣接して設けられる。これにより、第３赤外受光部１１２ｃは、図６に示す第３領域Ｓ３からの赤外反射光を受光する。そして、第４赤外受光部１１２ｄは、第４赤外ＬＥＤ１１１ｄに隣接して設けられる。これにより、第４赤外受光部１１２ｄは、図６に示す第４領域Ｓ４からの赤外反射光を受光する。
【００６０】
また、実施の形態１と同様に、装置フレーム１０１の内側にカバー１０９が取り付けられている。カバー１０９は、フルレートキャリッジ１０３やハーフレートキャリッジ１０４よりも下部であって、第１赤外ＬＥＤ１１１ａ、第２赤外ＬＥＤ１１１ｂ、第３赤外ＬＥＤ１１１ｃ、第４赤外ＬＥＤ１１１ｄ、赤外受光部１１２を構成する第１赤外受光部１１２ａ、第２赤外受光部１１２ｂ、第３赤外受光部１１２ｃ、第４赤外受光部１１２ｄよりも上部に設けられている。このカバー１０９は、装置フレーム１０１の底部のほぼ全面を覆うように設けられており、その端部は装置フレーム１０１に固定されている。また、カバー１０９はＺ字状に折り曲げられており、その一部には第３ミラー１０６Ｃから結像用レンズ１０７に向かう可視反射光を通過させるための開口が形成されている。なお、カバー１０９は、実施の形態１と同様に図４に示す光透過特性を有している。
【００６１】
図１５は、実施の形態３における赤外受光部１１２の詳細な構成を示す図である。なお、本実施の形態では、赤外受光部１１２を構成する第１赤外受光部１１２ａ、第２赤外受光部１１２ｂ、第３赤外受光部１１２ｃ、および第４赤外受光部１１２ｄが同一の構成を有していることから、第１赤外受光部１１２ａを例に説明を行う。
第１赤外受光部１１２ａは、筐体１８１、赤外エリアセンサ１８２、およびレンズ１８３を備える。
筐体１８１は円筒状の形状を有しており、その内側底部には赤外エリアセンサ１８２が固定されている。また、筐体１８１における赤外エリアセンサ１８２の上部には、円柱状のレンズ１８３が固定されている。そして、レンズ１８３の上部側には開口が形成されている。
赤外エリアセンサ１８２は、実施の形態１と同様、二次元のＣＭＯＳイメージセンサで構成される。
レンズ１８３は、赤外光を透過且つ集光する機能を備えている。
そして、本実施の形態では、このようにして構成された第１赤外受光部１１２ａ、第２赤外受光部１１２ｂ、第３赤外受光部１１２ｃ、および第４赤外受光部１１２ｄが、装置フレーム１０１に固定した状態で取り付けられる。
つまり、実施の形態１では、使用するレンズを切り替えることで赤外撮像領域を変更していたのに対し、本実施の形態では、使用する赤外受光部そのものを替えることで、赤外撮像領域の変更を行う。なお、本実施の形態においても、カバー１０９は近赤外光を透過する特性を有していることから、赤外画像読み取りにおいて光学的な妨げとはならない。
【００６２】
そして、本実施の形態においても、実施の形態１と同様、図１０に示す手順に基づいて原稿の読み取り動作が実行される。ただし、ステップ１０３において読み取りコントローラ１４１が赤外撮像領域を決定した後、センサコントローラ１４２に制御信号を送ることで、第１赤外受光部１１２ａ、第２赤外受光部１１２ｂ、第３赤外受光部１１２ｃ、および第４赤外受光部１１２ｄの中から赤外画像データの取り込みを行う受光部を選択する。したがって、赤外撮像領域として例えば第１領域Ｓ１が選択された場合には、第１赤外受光部１１２ａに設けられた赤外エリアセンサ１８２の赤外画像データが取り込まれることになる。
【００６３】
ここで、本実施の形態においても、実施の形態１や２と同様に読み取り部１００にカバー１０９を設けていることから、赤外受光部１１２を構成する第１赤外受光部１１２ａ、第２赤外受光部１１２ｂ、第３赤外受光部１１２ｃ、第４赤外受光部１１２ｄの存在やこれら第１赤外受光部１１２ａ、第２赤外受光部１１２ｂ、第３赤外受光部１１２ｃ、第４赤外受光部１１２ｄがどこに取り付けられているかを目視によって確認することが困難になる。
また、カバー１０９を設けることにより、進入してきた埃がカバー１０９が遮られ、赤外受光部１１２を構成するレンズ１８３等に直接付着するという事態が抑制される。
【００６４】
なお、実施の形態１〜３では、赤外画像読み取り部１１０を構成する各赤外ＬＥＤおよび赤外受光部１１２をカバー１０９で覆うように構成していたが、少なくとも赤外受光部１１２がカバー１０９で覆われていればよい。
また、実施の形態１〜３では、一枚の板材にてカバー１０９を構成していたが、複数の部材の組み合わせによってカバー１０９を構成してもよい。
さらに、実施の形態１〜３では、樹脂を用いてカバー１０９を構成していたが、可視領域の波長の光を吸収するとともに近赤外領域の光を透過する特性を有するものであれば、材料は樹脂以外であってもよい。
【００６５】
また、実施の形態１〜３では、原稿サイズの検知結果に基づき、第１領域Ｓ１〜第４領域Ｓ４のうちいずれか一領域を選択するようにしていた。ただし、これに限られるものではなく、例えばすべての原稿が存在し得る第１領域Ｓ１の下方に赤外受光部１１２を固定配置し、赤外受光部１１２によって常時第１領域Ｓ１の赤外画像を読み取るようにしてもよい。この場合にも、カバー１０９によって赤外受光部１１２が隠されることになり、目視による確認が困難になる。
【図面の簡単な説明】
【００６６】
【図１】本実施の形態が適用されるシステムの構成の一例を示す図である。
【図２】（ａ）〜（ｃ）はプリンタ装置で形成される二次元コード画像を説明するための図である。
【図３】実施の形態１におけるスキャナ装置の概略構成を示す図である。
【図４】スキャナ装置の読み取り部に設けられるカバーの光透過特性を示す図である。
【図５】実施の形態１における赤外受光部の構成を示す図である。
【図６】赤外エリアセンサによる赤外撮像領域を説明するための図である。
【図７】（ａ）は第１領域を赤外撮像領域とした場合における赤外光の受光を説明するための図であり、（ｂ）は第２領域を赤外撮像領域とした場合における赤外光の受光を説明するための図である。
【図８】制御・画像処理ユニットの機能ブロック図である。
【図９】（ａ）は可視画像処理部の機能ブロック図であり、（ｂ）は赤外画像処理部の機能ブロック図である。
【図１０】実施の形態１のスキャナ装置を用いた原稿の読み取り動作を説明するためのフローチャートである。
【図１１】赤外撮像領域選択テーブルの一例を示す図である。
【図１２】実施の形態２における赤外受光部の概略構成を示す図である。
【図１３】実施の形態２における赤外受光部の挙動を示す図である。
【図１４】実施の形態３におけるスキャナ装置の概略構成を示す図である。
【図１５】実施の形態３における赤外受光部の構成を示す図である。
【符号の説明】
【００６７】
１０…端末装置、２０…識別情報管理サーバ、２５…識別情報リポジトリ、３０…文書管理サーバ、３５…文書リポジトリ、４０…画像形成装置、４０ａ…プリンタ装置、４０ｂ…スキャナ装置、５０…印刷物、６０…複写物、７０…ネットワーク、１００…読み取り部、１０１…装置フレーム、１０２…プラテンガラス、１０２ａ…レジ基準位置、１０３…フルレートキャリッジ、１０４…ハーフレートキャリッジ、１０５…照明ランプ、１０５Ａ…リフレクタ、１０６Ａ…第１ミラー、１０６Ｂ…第２ミラー、１０６Ｃ…第３ミラー、１０７…結像用レンズ、１０８…ＣＣＤイメージセンサ、１０９…カバー、１１０…赤外画像読み取り部、１１１ａ…第１赤外ＬＥＤ、１１１ｂ…第２赤外ＬＥＤ、１１１ｃ…第３赤外ＬＥＤ、１１１ｄ…第４赤外ＬＥＤ、１１２…赤外受光部、１１２ａ…第１赤外受光部、１１２ｂ…第２赤外受光部、１１２ｃ…第３赤外受光部、１１２ｄ…第４赤外受光部、１１３…筐体、１１４…赤外エリアセンサ、１１５…レンズ部、１１５ａ…第１レンズ、１１５ｂ…第２レンズ、１１５ｃ…第３レンズ、１１５ｄ…第４レンズ、１１６…シャッタ部、１１６ａ…開口部、１２０…プラテンカバー、１３０…制御・画像処理ユニット、Ｓ１…第１領域、Ｓ２…第２領域、Ｓ３…第３領域、Ｓ４…第４領域
【図１】
2009005303.tif 000003
【図２】
2009005303.tif 000004
【図３】
2009005303.tif 000005
【図４】
2009005303.tif 000006
【図５】
2009005303.tif 000007
【図６】
2009005303.tif 000008
【図７】
2009005303.tif 000009
【図８】
2009005303.tif 000010
【図９】
2009005303.tif 000011
【図１０】
2009005303.tif 000012
【図１１】
2009005303.tif 000013
【図１２】
2009005303.tif 000014
【図１３】
2009005303.tif 000015
【図１４】
2009005303.tif 000016
【図１５】
2009005303.tif 000017